(57)【要約】【課題】全固体電池セルを衝撃や振動といった外力から保護が可能な全固体電池およびその製造方法を提供する。【解決手段】全固体電池は、第１および第２の電極と、その間に配置された固体電解質を有する少なくとも１つの電池セルと、前記電池セルを狭持する第１および第２の筐体部と、前記第１および第２の筐体部を収納する可撓性外装体と、を備え、前記第１および第２の筐体部はそれぞれ、板状部品と、前記板状部品から電極厚さ方向に互いに延びる側壁とを有し、前記第１の筐体部の前記側壁は、対向する前記第２の筐体部の前記側壁の少なくとも一部を覆うものである。【選択図】図４
2019057436.tif 000002
【特許請求の範囲】
【請求項１】
第１および第２の電極と、その間に配置された固体電解質を有する少なくとも１つの電池セルと、
前記電池セルを狭持する第１および第２の筐体部と、
前記第１および第２の筐体部を収納する可撓性外装体と、を備え、
前記第１および第２の筐体部はそれぞれ、板状部品と、前記板状部品から電極厚さ方向に互いに延びる側壁とを有し、
前記第１の筐体部の前記側壁は、対向する前記第２の筐体部の前記側壁の少なくとも一部を覆うことを特徴とする全固体電池。
【請求項２】
前記全固体電池は、複数の前記電池セルを含むセル積層体を備え、
前記セル積層体の積層高さは、前記側壁より大きいことを特徴とする請求項１に記載の全固体電池。
【請求項３】
前記全固体電池は、複数の前記電池セルを含むセル積層体を備え、
前記第１の筐体部または前記第２の筐体部は、位置合わせする係止部を有することを特徴とする請求項１または２に記載の全固体電池。
【請求項４】
第１および第２の電極の間に配置された固体電解質を有する少なくとも１つの電池セルを準備する工程と、
板状部品と、前記板状部品から電極厚さ方向に互いに延びる側壁とを有する第１および第２の筐体部を準備する工程と、
前記第１および第２の筐体部の間に前記電池セルを挿入する工程と、
前記第１の筐体部の前記側壁が対向する前記第２の筐体部の前記側壁の少なくとも一部を覆うように、前記第１および第２の筐体部を配置する工程と、
前記第１および第２の筐体部を可撓性外装体内に収納する工程と、
前記可撓性外装体内を減圧封止する工程と、を有することを特徴とする全固体電池の製造方法。
【発明の詳細な説明】
【技術分野】
【０００１】
本発明は、全固体電池およびその製造方法に関し、とりわけラミネートフィルム内に収容された全固体電池およびその製造方法に関する。
【背景技術】
【０００２】
リチウムイオン二次電池は、他の二次電池に比較して、エネルギー密度が高く、高電圧での動作が可能であるため、小型軽量化が可能であり、自動車および携帯電話等の電源として広く利用されることが期待されている。一方、こうした電池の用途拡大に伴い、自動車用電池および据え置き型電池などの大型電池（大容量電池）が注目されている。大型電池では、小型電池に比べて安全性の確保がさらに重要になる。
【０００３】
しかし、一般的なリチウムイオン二次電池は、正極および負極と、これらの間のエチレンカーボネート等の液体の電解質（電解液）とを有するが、こうした電解液は、一般的に、液漏れ、発火や爆発の危険性がある。そこで、固体電解質を用いた全固体電池が将来の二次電池として有望視されている。
【０００４】
これらの電池は、さらなる軽量化および小型化を目的として、電極体（複数の正極および負極がセパレータまたは固体電解質を介して積層されたセル積層体）を収容する外装体を、従来の金属製外装缶からフィルム材料に変更することが検討されている。
【０００５】
例えば特許文献１には、ラミネートフィルムの外装体内に電極体（セル積層体）を収容した全固体電池が記載されている。
【先行技術文献】
【特許文献】
【０００６】
【特許文献１】特許第５６４８７４７号公報
【発明の概要】
【発明が解決しようとする課題】
【０００７】
しかしながら、フィルム材料の外装体を使用した場合、外装体内の電極体の保護が不十分なため、衝撃や振動といった外力により、電極体が損傷もしくは、剥離してしまうといった問題があった。
【課題を解決するための手段】
【０００８】
本発明に係る第１の態様は、全固体電池に関し、この全固体電池は、第１および第２の電極と、その間に配置された固体電解質を有する少なくとも１つの電池セルと、前記電池セルを狭持する第１および第２の筐体部と、前記第１および第２の筐体部を収納する可撓性外装体と、を備え、前記第１および第２の筐体部はそれぞれ、板状部品と、前記板状部品から電極厚さ方向に互いに延びる側壁とを有し、前記第１の筐体部の前記側壁は、対向する前記第２の筐体部の前記側壁の少なくとも一部を覆うものである。
【０００９】
本発明に係る第２の態様は、全固体電池の製造方法に関し、この製造方法は、第１および第２の電極の間に配置された固体電解質を有する少なくとも１つの電池セルを準備する工程と、板状部品と、前記板状部品から電極厚さ方向に互いに延びる側壁とを有する第１および第２の筐体部を準備する工程と、前記第１および第２の筐体部の間に前記電池セルを挿入する工程と、前記第１の筐体部の前記側壁が対向する前記第２の筐体部の前記側壁の少なくとも一部を覆うように、前記第１および第２の筐体部を配置する工程と、前記第１および第２の筐体部を可撓性外装体内に収納する工程と、前記可撓性外装体内を減圧封止する工程と、を有する。
【発明の効果】
【００１０】
本発明に係る態様によれば、電池セルを大気から遮断しながら、電池セルまたはセル積層体を外力から保護することができる。
【図面の簡単な説明】
【００１１】
【図１】本発明の比較例１に係る全固体電池を示す断面図である。
【図２】本発明の比較例２に係る全固体電池を示す断面図である。
【図３】減圧封止した後の比較例２に係る全固体電池を示す断面図である。
【図４】本発明の実施形態に係る全固体電池の断面図である。
【図５】本発明の実施形態に係る全固体電池の製造方法を概略的に示す斜視図である。
【図６】本発明の実施形態に係る全固体電池の製造方法を概略的に示す斜視図である。
【図７】実施形態の変形例に係る全固体電池の製造方法を示す斜視図である。
【発明を実施するための形態】
【００１２】
添付図面を参照して本発明に係る全固体電池およびその製造方法の実施形態を以下説明する。各実施形態の説明において、理解を容易にするために方向を表す用語（たとえば「上側」および「下側」等）を適宜用いるが、これは説明のためのものであって、これらの用語は本発明を限定するものでない。なお各図面において、全固体電池の各構成部品の形状または特徴を明確にするため、これらの寸法を相対的なものとして図示し、必ずしも同一の縮尺比で表したものではない。
【００１３】
図１は、本発明の比較例１に係る全固体電池１０１を示す断面図である。比較例に係る全固体電池１０１は、概略、複数の全固体電池セル１０（本願では、単に「電池セル１０」ともいう。）を含むセル積層体２０と、セル積層体２０の上面および下面に配置される板状部品１３０，１４０と、セル積層体２０および板状部品１３０，１４０を包囲する外装体５０と、を備える。また全固体電池１０１は、セル積層体２０と板状部品１３０，１４０との間に衝撃を吸収する緩衝材（図示せず）を備えていてもよい。またセル積層体２０は、単一の電池セル１０を含むものであってもよい。
【００１４】
各電池セル１０は、詳細図示しないが、正極集電体、正極（第１電極または第２電極）、固体電解質層、負極（第２電極または第１電極）、および負極集電体を積層して形成される。またセル積層体６は、単一の電池セル７を含むものであってもよい。
【００１５】
固体電解質には、イオン伝導性の無機固体電解質が使用できる。無機固体電解質としては、硫化物（硫化物系固体電解質）、水素化物（水素化物系固体電解質）が好ましい。水素化物には、一般に、錯体水素化物と呼ばれる固体電解質も含まれる。固体電解質の結晶状態は、特に制限されず、結晶性および非晶質のいずれであってもよい。
【００１６】
硫化物としては、例えば、Ｌｉ２Ｓと、周期表第１３族元素、第１４族元素、および第１５族元素からなる群より選択された少なくとも一種の元素を含む一種または二種以上の硫化物とを含むものが好ましい。硫化物の具体例としては、Ｌｉ２Ｓ−ＳｉＳ２、Ｌｉ２Ｓ−Ｐ２Ｓ５、Ｌｉ２Ｓ−ＧｅＳ２、Ｌｉ２Ｓ−Ｂ２Ｓ３、Ｌｉ２Ｓ−Ｇａ２Ｓ３、Ｌｉ２Ｓ−Ａｌ２Ｓ３、Ｌｉ２Ｓ−ＧｅＳ２−Ｐ２Ｓ５、Ｌｉ２Ｓ−Ａｌ２Ｓ３−Ｐ２Ｓ５、Ｌｉ２Ｓ−Ｐ２Ｓ３、Ｌｉ２Ｓ−Ｐ２Ｓ３−Ｐ２Ｓ５、ＬｉＸ−Ｌｉ２Ｓ−Ｐ２Ｓ５、ＬｉＸ−Ｌｉ２Ｓ−ＳｉＳ２、ＬｉＸ−Ｌｉ２Ｓ−Ｂ２Ｓ３（Ｘ：Ｉ、Ｂｒ、Ｃｌ、またはＩ）などが挙げられる。
【００１７】
水素化物としては、例えば、水素化ホウ素リチウムの錯体水素化物などが挙げられる。錯体水素化物としては、例えば、ＬｉＢＨ４−ＬｉＩ系錯体水素化物およびＬｉＢＨ４−ＬｉＮＨ２系錯体水素化物、ＬｉＢＨ４−Ｐ２Ｓ５、ＬｉＢＨ４−Ｐ２Ｉ４などが挙げられる。固体電解質は、一種を単独で用いてもよく、必要に応じて、二種以上を併用してもよい。
【００１８】
正極は、特に限定されることなく、全固体電池の正極活物質として使用される任意のものを用いることができる。正極活物質は、例えば、コバルト、ニッケル、および／またはマンガン等を含むリチウム含有酸化物を含んでもよい。より具体的には、全固体電池の正極活物質は、例えば、コバルト酸リチウム（ＬｉＣｏＯ２）、ニッケル酸リチウム（ＬｉＮｉＯ２）、マンガン酸リチウム（スピネル型マンガン酸リチウム（ＬｉＭｎ２Ｏ４など）、ニッケルコバルトマンガン酸リチウム（ＬｉＮｉ１／３Ｃｏ１／３Ｍｎ１／３Ｏ２など）、Ｌｉ過剰の複合酸化物（Ｌｉ２ＭｎＯ３−ＬｉＭＯ２）などの酸化物の他、酸化物以外の化合物を含んでもよい。酸化物以外の化合物としては、例えば、オリビン系化合物（ＬｉＭＰＯ４）、イオウ含有化合物（Ｌｉ２Ｓなど）などが挙げられる。なお、上記式中、Ｍは遷移金属を示す。
【００１９】
負極は、電荷のキャリアとなるイオンを挿入および脱離することができるものならば、特に限定されることなく、全固体電池で使用される公知の負極活物質を用いることができる。より具体的には、黒鉛（天然黒鉛、人造黒鉛など）、ハードカーボン、非晶質炭素などの炭素質材料の他、リチウムイオンを合金化、脱合金化が可能なリチウム金属または合金、Ｓｉ単体等を含むものであってもよい。
【００２０】
また各電池セル１０は、正極集電体および負極集電体から電気を取り出す正極タブおよび負極タブ（ここでは図示せず）を有する。各電池セル１０の正極タブ同士および負極タブ同士を接続して、各電池セル１０を並列に接続してもよいし、隣接する電池セル１０の正極タブと負極タブとを接続して、各電池セル１０を直列に接続してもよい。またセル積層体２０は、複数の電池セル１０を積層して形成されるものとして上記説明したが、単一の電池セル１０を有するものであってもよい。
【００２１】
また板状部品１３０，１４０は、所与の剛性を有する材料であれば任意の材料で形成され、例えばステンレスもしくはアルミニウム合金等の金属、またはフッ素樹脂等のプラスチックで形成される。
【００２２】
こうして構成されたセル積層体２０および板状部品１３０，１４０を、ラミネートフィルムで覆い（パウチし）、ラミネート外装体５０で封止された全固体電池１０１を形成する。その後、ラミネート外装体５０内に画定された封止空間を減圧（真空引き）する。このとき大気圧に相当する圧力が、ラミネート外装体５０および板状部品１３０，１４０を介してセル積層体２０を積層方向に均一に加圧する。その結果、図１に示す全固体電池１０１は、各電池セル１０を大気から遮断し、セル積層体の主面および側面に加わる外力からセル積層体２０を保護することができる。ただし、比較例１に係る全固体電池１０１は、ラミネート外装体５０の封止空間を減圧（真空引き）したとき、セル積層体２０の側面がラミネートフィルムに密着するため、セル積層体２０の側面に加わる外力には十分に対抗することができない。
【００２３】
図２は、本発明の比較例２に係る全固体電池１０２を示す断面図である。比較例２に係る全固体電池１０２は、セル積層体２０の上面および下面に配置される板状部品１３０，１４０がセル積層体２０より幅広である（面積がより大きい）点を除いて同様の構成を有するものである。しかしながら、セル積層体２０および板状部品１３０，１４０を収容したラミネート外装体５０の封止空間を減圧（真空引き）したとき、図３に示すように、比較例１と同様、セル積層体２０の側面がラミネートフィルムに密着し、比較例２に係る全固体電池１０２は、セル積層体２０の側面に加わる外力には十分に対抗できない虞がある。
【００２４】
（本発明の実施形態）
本発明の実施形態に係る全固体電池１は、比較例１および２で上記説明したように、板状部品１３０，１４０（図１および図２）で狭持されたセル積層体２０がラミネート外装体５０内に収容されるものでもない。図４は、本発明の実施形態に係る全固体電池１の断面図であって、図１および図２と同様のものである。また図５および図６は、本発明の実施形態に係る全固体電池１の製造方法を概略的に示す斜視図である。
【００２５】
（全固体電池の全体的構成）
本発明の実施形態に係る全固体電池１は、概略、図４〜図６に示すように、固体電解質を含む複数の電池セル１０で構成されたセル積層体２０と、セル積層体２０を狭持する上側筐体部３０および下側筐体部４０（本願では、「第１の筐体部３０」および「第２の筐体部４０」ともいう。）と、これらを減圧封止する可撓性外装体５０とを備える。可撓性外装体５０は、ラミネートフィルムからなる外装体５０であってもよい。
【００２６】
上側筐体部３０は、図５に示すように、天板３２（本願では、「第１の板状部品３２」ともいう。）と、天板３２から下方に延びる一組の上側側壁３４ａ〜３４ｄ（図４では２つのみの上側側壁３４を示す。）とを有する。同様に、下側筐体部４０は、底板４２（本願では、「第２の板状部品４２」ともいう。）と、底板４２から上方に延びる一組の下側側壁４４ａ〜４４ｄ（図４では２つのみの下側側壁４４を示す。）とを有する。すなわち上側筐体部３０の上側側壁３４ａ〜３４ｄおよび下側筐体部４０の下側側壁４４ａ〜４４ｄは、電極厚さ方向に互いに延びるように構成されている。なお、以下の説明において、セル積層体２０は、複数の電池セル１０を積層して形成されるものとして説明するが、単一の電池セル１０を有するものであってもよい。
【００２７】
さらに上側筐体部３０および下側筐体部４０は、可撓性外装体５０内の封止空間が減圧されたとき、大気圧により均一に加圧されて、上側側壁３４ａ〜３４ｄが下側側壁４４ａ〜４４ｄの少なくとも一部を覆うように構成されている。ただし、上側側壁３４ａ〜３４ｄおよび下側側壁４４ａ〜４４ｄの積層方向の高さ（厚み）は、セル積層体２０の積層方向の高さ（厚み）より小さく、すなわちセル積層体２０の高さ（厚み）は、上側側壁３４ａ〜３４ｄおよび下側側壁４４ａ〜４４ｄより大きくなるように設計されている。これは、可撓性外装体５０内の封止空間が減圧されたとき、大気圧に相当する圧力が上側筐体部３０および下側筐体部４０を介してセル積層体２０に加わるためである。
【００２８】
全固体電池では、充放電反応が、全て固体と固体との界面（例えば活物質と固体電解質との界面）で生じる。そのため、全固体電池では、電解液を用いる電池とは異なり、固体と固体との界面（例えば活物質と固体電解質との界面）における界面抵抗が電池の性能を大きく左右する。本発明に係る実施形態によれば、セル積層体２０が大気圧で加圧されることで、固体と固体との界面における界面抵抗を低減できる。
【００２９】
（全固体電池の製造方法）
ここで図５〜図７を参照して、全固体電池の製造方法について以下詳細に説明する。
まず、複数の電池セル１０を準備する。電池セル１０は、比較例１で説明したように、正極集電体、正極（第１電極または第２電極）、固体電解質層、負極（第２電極または第１電極）、および負極集電体を備える。固体電解質層は、例えば硫化物系の固体電解質（例えばＬｉ２Ｓ−Ｐ２Ｓ５系固体電解質）または水素化物系（例えばＬｉＢＨ４水素化ホウ素リチウム固体電解質）の固体電解質であってもよく、本発明は、これらの固体電解質に限定されるものではない。また、電池セル１０は、正極集電体および負極集電体に電気的に接続された正極タブ１６ａおよび負極タブ１６ｂを有する。
【００３０】
次に、上側筐体部３０および下側筐体部４０を準備する。上側筐体部３０は、矩形形状を有する天板３２と、天板３２の４辺から下方に延びる上側側壁３４ａ〜３４ｄとを有する。下側筐体部４０は、同様の矩形形状を有する底板４２と、底板４２の４辺から上方に延びる下側側壁４４ａ〜４４ｄとを有する。上側筐体部３０が下側筐体部４０に嵌め合わされるとき、上側側壁３４ａ〜３４ｄおよび下側側壁４４ａ〜４４ｄが実質的に当接するように（すなわち実質的な間隙を設けて、不要なデッドスペースが形成されないように）、天板３２は、下側側壁４４ａ〜４４ｄの厚みに相当する分だけ底板４２より大きく形成する。また後述のように、上側筐体部３０が下側筐体部４０に嵌め合わされることで、正極タブ１６ａおよび負極タブ１６ｂが突出する開口部６４ａ，６４ｂ（図６）を形成するように、１つの上側側壁３４ａおよび下側側壁４４ａは、その他のものより幅狭に形成する。
【００３１】
上側筐体部３０および下側筐体部４０は、例えばステンレスもしくはアルミニウム合金等の平坦な金属板をプレス加工し、折曲加工することにより形成することができる。また、フッ素樹脂等のプラスチックを用いてモールド成形することにより上側筐体部３０および下側筐体部４０を形成してもよい。
【００３２】
図４には図示されていないが、全固体電池１は、下側筐体部４０の底板４２上に配置される緩衝材（クッション材）６０を有していてもよい。緩衝材６０は、衝撃を吸収し、絶縁性を有する弾性体であれば、任意の構成材料を用いて形成することができ、例えば絶縁フィルムが被膜された板ばねや、ゴム製または樹脂製の板状部材で形成してもよい。
【００３３】
そして緩衝材６０（または下側筐体部４０の底板４２）の上に複数（図５では５つ）の電池セル１０を順次配置し、セル積層体２０を構成する。セル積層体２０は、下側側壁４４ａ〜４４ｄに対向する側部１２ａ，１２ｂおよび端部１４ａ，１４ｂを有する。複数の電池セル１０を位置合わせして配置することを容易にするために、下側筐体部４０は、セル積層体２０の側部１２ａ，１２ｂおよび一方の端部１４ｂに当接するように配置されたスペーサ４６（係止部、図５では一方のスペーサ４６のみを図示）を有していてもよい。スペーサ４６は、複数の電池セル１０の位置合わせを行うものであれば、任意の形態を有し、図示のように角部に限定して配置されるものでなく、２つまたはそれ以上のものを設けてもよい。
【００３４】
さらに、セル積層体２０の上には、別の緩衝材６２を配置してもよい。この緩衝材６２（またはセル積層体２０）の上に上側筐体部３０を配置する。上側筐体部３０および下側筐体部４０は、前者が後者に嵌め合わされるような相補的な形状および寸法を有するとともに、正極タブ１６ａおよび負極タブ１６ｂが突出する開口部６４ａ，６４ｂが形成されるように１つの上側側壁３４ａおよび下側側壁４４ａが他のものより幅狭に構成されている。
【００３５】
次に、セル積層体２０が挿入された上側筐体部３０および下側筐体部４０をラミネートフィルム等の可撓性外装体５０で覆い（パウチし）、封止して、図４に示すように、可撓性外装体５０の内部に画定された封止空間を減圧する。封止空間の減圧は、封止空間を真空引きするか、または図示しない真空チャンバ（減圧チャンバ）内において、可撓性外装体５０の封止に至る上記一連の工程を行った後に、真空チャンバから取り出して大気圧を加えることにより実施してもよい。
【００３６】
このように本発明の実施形態に係る全固体電池１は、個別に加圧装置等を必要とせず、大気圧に相当する圧力が天板３２ならびに底板４２を介してセル積層体２０を積層方向に均一に加圧するように構成される。この構成により、電池セル１０およびセル積層体２０の側部１２ａ，１２ｂおよび端部１４ａ，１４ｂを外力から保護することができる。
【００３７】
また上側筐体部３０の上側側壁３４ａ〜３４ｄおよび下側筐体部４０の下側側壁４４ａ〜４４ｄの積層方向の高さは、セル積層体２０の積層方向の高さ（厚み）より小さくなるように設計されているので、可撓性外装体５０内の封止空間が減圧されたとき、大気圧に相当する圧力が、確実にセル積層体２０の上面および下面に加えられ、上側筐体部３０および下側筐体部４０にのみ加えられることを防止することができる。
【００３８】
さらに下側筐体部４０は、セル積層体２０の側部１２ａ，１２ｂまたは端部１４ａ，１４ｂに当接するように配置されたスペーサ４６を有するので、複数の電池セル１０（ひいては各電池セル１０から延びる複数の正極タブ１６ａおよび負極タブ１６ｂ）を容易に位置合わせして下側筐体部４０上に順次配置することができる。したがって、この実施形態に係る製造方法によれば、複数の電池セル１０を簡便な手法で位置合わせすることができるので、全固体電池１の製造コストを実質的に削減することができる。
【００３９】
（変形例）
上記実施形態において、複数の電池セル１０を位置合わせするために、下側筐体部４０の角部に配置されたスペーサ４６について説明した。図７は、実施形態の変形例に係る全固体電池１の製造方法を示す斜視図であって、図５と同様のものである。変形例に係る上側筐体部３０および下側筐体部４０は、セル積層体２０の側部１２ａ，１２ｂおよび端部１４ｂを位置合わせするためのロッド（細棒）７０ａ〜７０ｇを挿通させる複数の貫通孔６８を有する。図７の上側筐体部３０および下側筐体部４０には、セル積層体２０の両方の側部１２ａ，１２ｂに対向して２つ、図中手前側の端部１４ａに対向して１つ、そして図中奥手側の端部１４ｂに対向して２つの貫通孔６８を設ける。
【００４０】
この変形例に係る製造方法において、複数の電池セル１０を下側筐体部４０の底板４２の上方に順次配置する前に、セル積層体２０の両方の側部１２ａ，１２ｂおよび図中奥手側の端部１４ｂに対向して２本ずつ（合計６本）のロッド７０ａ〜７０ｆを上側筐体部３０および下側筐体部４０に設けた貫通孔６８に挿通させる。そして上記実施形態と同様、複数の電池セル１０を下側筐体部４０の底板４２の上方に順次配置し、上側筐体部３０を下側筐体部４０に嵌め合わせる。このとき、各電池セル１０は、その両方の側部１２ａ，１２ｂにおいて位置合わせされている。さらに電池セル１０を端部１４ａ，１４ｂにおいても確実に位置合わせするために、図中手前側の端部１４ａに対向して設けた貫通孔６８にもロッド７０ｇを挿通させる。
【００４１】
そして、各ロッド７０ａ〜７０ｇを貫通孔６８から引き抜いた後に、上側筐体部３０および下側筐体部４０を可撓性外装体５０を用いて封止し、可撓性外装体５０の内部に画定された封止空間を減圧することにより、上記実施形態と同様の全固体電池１を製造する。変形例に係る製造方法によれば、貫通孔６８に挿通される各ロッド７０ａ〜７０ｇを用いることにより、各電池セル１０の位置合わせをより確実に、かつ高い信頼性で実施することができる。
【産業上の利用可能性】
【００４２】
本発明は、全固体電池セルを大気から遮断する筐体を有する全固体電池に利用することができる。
【符号の説明】
【００４３】
１０…全固体電池（電池セル）、１６ａ…正極タブ、１６ｂ…負極タブ、
２０…セル積層体、
３０…上側筐体部（第１の筐体部）、３２…天板（第１の板状部品）、３４…上側側壁、
４０…下側筐体部（第２の筐体部）、４２…底板（第２の板状部品）、４４…下側側壁、
４６…スペーサ、
５０…外装体、
６０，６２…緩衝材、６４ａ，６４ｂ…開口部、６８…貫通孔、
７０…ロッド（細棒）、
１０１…比較例１に係る全固体電池、
１０２…比較例２に係る全固体電池、
１３０，１４０…板状部品
【図１】
2019057436.tif 000003
【図２】
2019057436.tif 000004
【図３】
2019057436.tif 000005
【図４】
2019057436.tif 000006
【図５】
2019057436.tif 000007
【図６】
2019057436.tif 000008
【図７】
2019057436.tif 000009